(57)【特許請求の範囲】
【請求項１】
入力された複数系統の入力ビデオ信号のうち、選択された２以上の系統の入力ビデオ信号に対するインターフェースの情報もしくは入力された複数系統の入力ビデオ信号のうち、選択された２以上の系統の該入力ビデオ信号に重畳又は付加されている情報から、上記入力ビデオ信号のそれぞれが有効画像領域の周囲に無画像部分が付加された信号であるか否かを判断し、該入力ビデオ信号が入力されるインターフェースの情報もしくは該入力ビデオ信号に重畳又は付加されている情報から、複数系統の上記入力ビデオ信号のそれぞれが有効画像領域の周囲に無画像部分が付加された信号であるか否かを判断できない場合には、選択された２以上の系統の該入力ビデオ信号のレベルと所定のレベルとをそれぞれ比較し、比較による出力から検出した有効画像領域の大きさを基に該入力ビデオ信号が有効画像領域の周囲に無画像部分が付加された信号であると判断する判断手段と、
上記判断手段により、上記入力ビデオ信号が上記有効画像領域の周囲に無画像部分が付加された信号であると判断された上記入力ビデオ信号のうちの上記有効画像領域の信号を切り出し、上記有効画像領域の信号を使って画サイズの調整をした該有効画像領域信号に基づく画面を背景画像に合成する画像合成を行う画像処理手段とを備えるようにした画像表示装置。
【請求項２】
上記画像処理手段は、上記インターフェースから入力される上記複数系統の入力ビデオ信号の夫々の画サイズを調整し、上記複数系統の入力ビデオ信号に基づく画面を背景画面に合成するような複数画像表示処理を行うものである請求項１に記載の画像表示装置。
【請求項３】
上記画像処理手段は、入力ビデオ信号の夫々の画サイズを縮小し、背景画面に合成するような縮小画像表示処理を行うものである請求項１に記載の画像表示装置。
【請求項４】
上記入力ビデオ信号がＭＰＥＧ２のデコード信号の場合には、上記判断手段は、トランスポートストリーム中に送られてくる情報から、上記入力ビデオ信号が有効画像領域の周囲に無画像部分が付加された信号であるか否かを判断するようにした請求項１に記載の画像表示装置。
【請求項５】
入力された複数系統の入力ビデオ信号のうち、選択された２以上の系統の入力ビデオ信号に対するインターフェースの情報もしくは入力された複数系統の入力ビデオ信号のうち、選択された２以上の系統の該入力ビデオ信号に重畳又は付加されている情報から、上記入力ビデオ信号のそれぞれが有効画像領域の周囲に無画像部分が付加された信号であるか否かを判断し、該入力ビデオ信号が入力されるインターフェースの情報もしくは該入力ビデオ信号に重畳又は付加されている情報から、複数系統の上記入力ビデオ信号のそれぞれが有効画像領域の周囲に無画像部分が付加された信号であるか否かを判断できない場合には、選択された２以上の系統の該入力ビデオ信号のレベルと所定のレベルとをそれぞれ比較し、比較による出力から検出した有効画像領域の大きさを基に該入力ビデオ信号が有効画像領域の周囲に無画像部分が付加された信号であると判断し、上記入力ビデオ信号が有効画像領域の周囲に無画像部分が付加された信号であると判断された場合には、上記入力ビデオ信号のうちの上記有効画像領域の信号を切り出し、上記有効画像領域の信号を使って画サイズの調整をした該有効画像領域信号に基づく画面を背景画像に合成する画像合成を行うようにした画像表示方法。
【請求項６】
上記画像合成は、入力される複数系統の入力ビデオ信号の夫々の画サイズを調整し、上記複数系統の入力ビデオ信号に基づく画面を背景画面に合成するものである請求項５に記載の画像表示方法。
【請求項７】
上記画像合成は、上記入力ビデオ信号の夫々の画サイズを縮小し、背景画面に合成するものである請求項５に記載の画像表示方法。
【請求項８】
上記入力ビデオ信号がＭＰＥＧ２のデコード信号の場合には、上記入力ビデオ信号が有効画像領域の周囲に無画像部分が付加された信号であるか否かの判断は、トランスポートストリーム中に送られてくる情報を用いて行うようにした請求項５に記載の画像表示方法。
【発明の詳細な説明】
【０００１】
【発明の属する技術分野】
この発明は、背景画面上に複数の画像を並べて表示する複数画像表示や、画像を縮小してテキスト等のオンスクリーン画像と共に表示する縮小画像表示が行えるテレビジョン受像機に用いて好適な画像処理装置及び方法に関する。
【０００２】
【従来の技術】
背景画面上に複数の画像を並べて表示する複数画像表示や、画像を縮小してテキスト等のオンスクリーン画像と共に表示する縮小画像表示が行えるテレビジョン受像機が知られている。図１２は、このようなテレビジョン受像機における表示装置の一例を示すものである。
【０００３】
図１２において、入力信号選択部１０１には、入力端子１０２Ａ、１０２Ｂ、…から複数のビデオ信号が入力される。入力信号選択部１０１で、入力端子１０２Ａ、１０２Ｂ、…からのビデオ信号から、画面上に表示すべき２系統のビデオ信号が選択される。
【０００４】
選択された２系統のビデオ信号は、Ａ／Ｄコンバータ１０３Ａ及び１０３Ｂに供給される。Ａ／Ｄコンバータ１０３Ａ及び１０３Ｂで、入力信号選択部１０１で選択された２つのビデオ信号がディジタル化される。Ａ／Ｄコンバータ１０３Ａ及び１０３Ｂでディジタル化された２系統のビデオ信号は、画像処理部１０４に供給される。
【０００５】
画像処理部１０４では、複数画像表示処理や縮小画像表示処理が行われる。画像処理部１０４には、このような画像処理を実現するために、画像メモリ１０５が設けられる。
【０００６】
例えば、２画像表示を行う場合には、入力された２系統のビデオ信号が画像メモリ１０５に書き込まれ、所望のタイミングで、この画像メモリ１０５から２系統のビデオ信号が読み出され、背景画面上に配置される。このとき、間引きや補間を行うことで、画サイズの調整が行なわれる。
【０００７】
画像処理部１０４の出力は、Ｄ／Ａコンバータ１０６に供給される。Ｄ／Ａコンバータ１０６で、画像処理部１０４の出力がアナログ信号に変換される。このＤ／Ａコンバータ１０６の出力がＣＲＴディスプレイ１０７に供給される。
【０００８】
【発明が解決しようとする課題】
ところで、入力端子１０２Ａ、１０２Ｂ、…に供給されるビデオ信号には、レターボックス信号やサイドパネル信号のように、無画像部分を含む信号の場合がある。
【０００９】
つまり、ビデオ信号のフォーマットとしては、有効画素数が（７２０×４８０）のものと、（１２８０×７２０）のものと、（１９２０×１０８０）のものとがある。
【００１０】
有効画素数が（７２０×４８０）のフォーマットでは、（４：３）の標準画面の画角となる。有効画素数が（１２８０×７２０）のフォーマットや（１９２０×１０８０）のフォーマットでは、（１６：９）のワイド画面の画角となる。
【００１１】
図１３Ａに示すように、画角が１６：９で、有効画像領域のアスペクト比が４：３の場合には、左右に黒の無画像部分を付加して画角を１６：９としている。
このように、有効画像領域のアスペクト比が４：３で左右に黒の無画像部分を付加して画角を１６：９とした信号は、サイドパネル信号と呼ばれている。
【００１２】
また、図１３Ｂに示すように、画角が４：３で、有効画像領域のアスペクト比が１６：９の場合には、上下に黒の無画像部分を付加して画角を４：３としている。このように、有効画像領域のアスペクト比が１６：９で、上下に黒の無画像部分を付加して画角を４：３とした信号は、レターボックス信号と呼ばれている。
【００１３】
図１３Ａに示すように、サイドパネル信号の場合には、左右に無画像部分があり、図１３Ｂに示すように、レターボックス信号の場合には、上下に無画像部分がある。このため、上述のように、入力されたビデオ信号を画像メモリ１０５に書き込み、画面の位置に応じた適当なタイミングで、所定の画サイズとなるように画サイズ調整しながら読み出して画像処理を行っていくと、入力されるビデオ信号がレターボックス信号やサイドパネル信号の場合には、無画像部分についても画像処理されて表示されてしまい、複数画像表示処理をしたときにサイドパネル信号やレターボックス信号の画像が小さくなってしまったり、縮小画像表示処理をしたときに画面上の表示領域が有効に利用できなくなってしまうという問題が生じる。
【００１４】
つまり、図１４は、サイドパネル信号の画像とフルライン信号の画像とから２画像表示を行ってときの表示例である。
【００１５】
図１４Ａに示すように、サイドパネル信号Ｓ１０１は、左右の無画像部分を含めて全画像が画像メモリに書き込まれる。そして、この画像メモリに書き込まれたビデオ信号が全画像の大きさで画サイズが調整されて、画像メモリから読み出されて、表示される。図１３Ｂに示すように、フルライン信号Ｓ１０２は、全画像が画像メモリに書き込まれ、全画像の大きさで画サイズが調整されて、画像メモリから読み出されて、背景画面上に表示される。これにより、図１３Ｃに示すように、サイドパネル信号Ｓ１０１から形成された画像Ｇ１０１と、フルライン信号Ｓ１０２から形成された画像Ｇ１０２とからなる２画像表示がなされる。
【００１６】
図１４Ａ及び図１４Ｂに示すように、この２つの信号Ｓ１０１及びＳ１０２は、共に有効画像領域のアスペクト比が（４：３）であり、本来、同じ大きさの画像が表示されるはずである。ところが、図１４Ｃに示すように、２つの画像Ｇ１０１とＧ１０２とを並べて表示すると、サイドパネル信号Ｓ１０１から形成された画像Ｇ１０１は、左右に無画像部分が存在する分、フルライン信号Ｓ１０２から形成された画像Ｇ１０２に比べて、小さくなってしまう。
【００１７】
また、図１５は、サイドパネル信号Ｓ１１１を表示画面に対して面積を縮小して表示した例である。図１５Ａに示すように、サイドパネル信号Ｓ１１１は、左右の無画像部分を含めて全画像が画像メモリに書き込まれる。そして、この画像メモリに書き込まれたビデオ信号は、全画像の大きさで画サイズが調整されて、画像メモリから読み出され、背景画面上に表示される。図１５Ｂに示すように、このサイドパネル信号から形成された画像Ｇ１１１と共に、テキスト等のオンスクリーンの画像Ｇ１１２が表示される。
【００１８】
この場合、サイドパネル信号Ｓ１１１に左右の無画像部分が存在するために、その分、縮小画像Ｇ１１１に無駄な部分が生じる。このため、その分、他のテキスト等のオンスクリーンディスプレイの画像Ｇ１１２を表示する面積が小さくなり、画面の利用効率が落ちてしまう。
【００１９】
したがって、この発明の目的は、複数画像表示をする際に、入力ビデオ信号がサイドパネル信号やレターボックス信号であっても、画像が小さくなったりせず、また、縮小画像表示をする際に、無駄な画像部分が表示処理されて画面の利用効率が低下したりすることがないようにした画像表示装置及び方法を提供することにある。
【００２０】
【課題を解決するための手段】
第１の発明は、入力ビデオ信号が入力されるインターフェースの情報もしくは入力ビデオ信号に重畳又は付加されている情報から、入力ビデオ信号が有効画像領域の周囲に無画像部分が付加された信号であるか否かを判断し、入力ビデオ信号が入力されるインターフェースの情報もしくは入力ビデオ信号に重畳又は付加されている情報から、入力ビデオ信号が有効画像領域の周囲に無画像部分が付加された信号であるか否かを判断できない場合には、入力ビデオ信号のレベルと所定のレベルとを比較し、比較による出力から検出した有効画像領域の大きさを基に入力ビデオ信号が有効画像領域の周囲に無画像部分が付加された信号であると判断する判断手段と、
判断手段により、入力ビデオ信号が有効画像領域の周囲に無画像部分が付加された信号であると判断された場合には、入力ビデオ信号のうちの有効画像領域の信号を切り出し、有効画像領域の信号を使って画サイズの調整をした有効画像領域信号に基づく画面を背景画像に合成する画像合成を行う画像処理手段とを備えるようにした画像表示装置である。
【００２１】
第２の発明は、入力ビデオ信号が入力されるインターフェースの情報もしくは入力ビデオ信号に重畳又は付加されている情報から、入力ビデオ信号が有効画像領域の周囲に無画像部分が付加された信号であるか否かを判断し、入力ビデオ信号が入力されるインターフェースの情報もしくは入力ビデオ信号に重畳又は付加されている情報から、入力ビデオ信号が有効画像領域の周囲に無画像部分が付加された信号であるか否かを判断できない場合には、入力ビデオ信号のレベルと所定のレベルとを比較し、比較による出力から検出した有効画像領域の大きさを基に入力ビデオ信号が有効画像領域の周囲に無画像部分が付加された信号であると判断し、入力ビデオ信号が有効画像領域の周囲に無画像部分が付加された信号であると判断された場合には、入力ビデオ信号のうちの有効画像領域の信号を切り出し、有効画像領域の信号を使って画サイズの調整をした有効画像領域信号に基づく画面を背景画像に合成する画像合成を行うようにした画像表示方法である。
【００２２】
入力ビデオ信号がサイドパネル信号やレターボックス信号のように無画像部分を含むビデオ信号かどうかが判断される。このような判断は、まず、入力ビデオ信号が入力されるインターフェースの情報もしくは入力ビデオ信号に重畳又は付加されている情報から判断され、これらの情報から判断がつかない場合には入力ビデオ信号のレベルと所定のレベルとを比較し、比較による出力から検出した有効画像領域の大きさを基に判断される。そして、複数画像表示や縮小画像表示を行う際に、入力ビデオ信号がサイドパネル信号やレターボックス信号なら、画像メモリから有効画像領域のビデオ信号のみが切り出されて読み出されて、背景画面上に表示される。これにより、複数画像表示処理を行う際に、入力ビデオ信号がサイドパネル信号やレターボックス信号であっても、表示画像が小さくなることがなくなる。また、縮小画像表示を行ったときに、表示領域を有効に利用できる。
【００２３】
【発明の実施の形態】
以下、この発明の実施の形態について図面を参照して説明する。図１は、この発明が適用された画像表示装置の一例を示すものである。
【００２４】
図１において、１はビデオ信号を入力するためのインターフェースである。インターフェース１には、複数のビデオ信号が供給される。
【００２５】
ビデオ信号の映像フォーマットとしては、有効画素数が（７２０×４８０）のものと、（１２８０×７２０）のものと、（１９２０×１０８０）のものとがある。有効画素数が（７２０×４８０）のフォーマットでは、（４：３）の標準画面の画角となる。有効画素数が（１２８０×７２０）のフォーマットや（１９２０×１０８０）のフォーマットでは、（１６：９）のワイド画面の画角となる。また、有効画素数が（７２０×４８０）、（１２８０×７２０）、（１９２０×１０８０）の夫々に、飛び越し走査を行うフォーマットのものと、順次走査を行うフォーマットのものとがある。更に、画像領域のアスペクト比が（４：３）のものと、（１６：９）のものがある。
【００２６】
インターフェース１としては、Ｓ端子、Ｄ端子、コンポーネント端子等が用いられる。
【００２７】
Ｄ端子は、ディジタル放送に対応して規格化されたもので、Ｄ端子では、（Ｙ，Ｐｂ，Ｐｒ）のコンポーネント信号と、映像フォーマットを識別するための信号が伝送される。Ｄ端子には、放送形式に合わせて、Ｄ１からＤ５まで５種類のものが用意されている。
【００２８】
Ｓ端子は、輝度信号とクロマ信号とを分離して入力するものである。コンポーネント端子は、各コンポーネント信号を入力するために３本の端子を使うものである。また、標準テレビジョン（４８０ｉ）用にはＳ端子が使われ、ＨＤＴＶ（１０８０ｉ）用には、３本の端子を使うコンポーネント端子が使われる。
【００２９】
インターフェース１には、接続ＩＤ検出部４が設けられる。この接続ＩＤ検出部４は、入力端子されるビデオ信号の映像フォーマットを検出するためのものである。
【００３０】
Ｄ端子やＳ端子を使ってビデオ信号が入力される場合には、入力されるビデオ信号の映像フォーマットがインターフェース１の出力から判断できる。接続ＩＤ検出部４の出力がマイクロプロセッサ５に供給される。マイクロプロセッサ５で、接続ＩＤ検出部４の出力から、入力されているビデオ信号の映像フォーマットが判断される。
【００３１】
インターフェース１からのビデオ信号は、入力信号選択部２に供給される。入力信号選択部２は、インターフェース１を介して入力されるビデオ信号から、画面上に映出すべき２系統のビデオ信号を選択するものである。
【００３２】
入力信号選択部２で選択された２系統のビデオ信号は、Ａ／Ｄコンバータ６Ａ及び６Ｂに供給される。Ａ／Ｄコンバータ６Ａ及び６Ｂで、入力信号選択部２で選択された２系統のビデオ信号がディジタル化される。Ａ／Ｄコンバータ６Ａ及び６Ｂの出力は、画像処理部７に供給される。
【００３３】
また、入力信号選択部２で選択された２系統のビデオ信号は、付加情報検出部８に供給される。付加情報検出部８は、信号自体に付加或いは重畳されている付加情報を検出して、入力ビデオ信号の映像フォーマットを判断するものである。例えば、ＥＤＴＶ−IIＩＤ信号、ＩＤ−１信号では、画像のアスペクト比や画角情報が付加情報として重畳されている。付加情報検出部８で、このように信号に付加或いは重畳されている付加情報が検出される。この付加情報がマイクロプロセッサ５に供給される。マイクロプロセッサ５で、付加情報検出部８で検出された付加情報から、入力ビデオ信号の映像フォーマットが判断される。
【００３４】
接続ＩＤ検出部４の出力から、インターフェース１の情報を基に、入力されるビデオ信号の映像フォーマットが判断される。また、付加情報検出部８で、入力されたビデオ信号に付加又は重畳されている付加情報から、入力されるビデオ信号の映像フォーマットが判断される。このようにして判断された映像フォーマットから、入力ビデオ信号がサイドパネル信号やレターボックス信号であるか、フルライン信号であるかが判断される。
【００３５】
更に、入力選択部２で選択された２系統のビデオ信号は、無信号検出部９に供給される。無信号検出部９で、入力信号のレベルと所定のレベルとが比較される。無信号検出部９の出力がマイクロプロセッサ５に供給される。マイクロプロセッサ５で、この比較出力から有効画像領域の大きさが検出され、有効画像領域が水平方向に小さい場合にはサイドパネル信号と判断され、有効画像領域が垂直方向に小さい場合にはレターボックス信号と判断される。
【００３６】
入力ビデオ信号がレターボックス信号やサイドパネル信号であるか否かの情報は、後に説明するように、複数画像表示処理や縮小画像表示処理を行うときに使われる。
【００３７】
画像処理部７は、入力信号選択部２で選択された２系統のビデオ信号に基づく画像を背景画面上の適当な位置に配置するための処理を行っている。また、この画像処理部７は、入力された信号のうち１つのビデオ信号に基づく画像を縮小画像として背景画面上に表示させると共に、テキスト等のオンスクリーン画像を表示させるような処理を行っている。
【００３８】
画像処理部７の出力がＤ／Ａコンバータ１２に供給される。Ｄ／Ａコンバータ１２で、画像処理部７の出力がアナログ信号に変換される。このＤ／Ａコンバータ１２の出力がＣＲＴディスプレイ１３に供給される。
【００３９】
上述のように、画像処理部７は、複数画像表示処理や、縮小画像表示処理を行っている。これらの処理は、基本的には、入力ビデオ信号を画像メモリ１１に書き込み、この画像メモリ１１のビデオ信号を所定のタイミングで間引き或いは補間しながら読み出して画サイズ調整することにより実現される。
【００４０】
例えば、複数画像表示処理の場合には、入力信号選択部２で選択された２系統のビデオ信号が画像メモリ１１に書き込まれる。そして、この画像メモリ１１に書き込まれた２系統のビデオ信号は、画像の表示位置に応じた適当なタイミングで、所定の画サイズとなるように間引き、補間されながら読み出され、背景画面上に合成される。
【００４１】
ところで、入力されるビデオ信号が、有効画像領域のアスペクト比が（４：３）で左右に黒の無画像部分を付加して画角を１６：９としたサイドパネル信号や、有効画像領域のアスペクト比が（１６：９）で上下に黒の無画像部分を付加して画角を（４：３）としたレターボックス信号の場合がある。サイドパネル信号やレターボックス信号には無画像部分がある。このため、上述のように、入力されたビデオ信号を画像メモリ１１に書き込み、画面の位置に応じた適当なタイミングで、所定の画サイズとなるように調整しながら読み出して画像処理を行っていくと、入力されるビデオ信号がサイドパネル信号やレターボックス信号の場合には、無画像部分についても表示処理されてしまう。
【００４２】
そこで、この発明の実施の形態では、マイクロプロセッサ５で、選択されたビデオ信号がサイドパネル信号やレターボックス信号であるか否かを判断し、選択されたビデオ信号がサイドパネル信号やレターボックス信号である場合には、複数画像表示処理や縮小画像表示処理を行う際に、画面メモリ１１に蓄積されるビデオ信号の中から、有効画像領域のビデオ信号のみを切り出して表示処理するようにしている。
【００４３】
つまり、図２Ａ及び図２Ｂに示すように、画像メモリ１１には、入力されるビデオ信号の１画面に対応して、水平方向のアドレスｘa 〜ｘb と、垂直方向のアドレスｙa 〜ｙb からなるメモリ空間が用意される。入力されるビデオ信号は、１画面に対応して、この水平方向のアドレスｘa 〜ｘb 及び垂直方向のアドレスｙa 〜ｙb からなるメモリ空間に書き込まれる。
【００４４】
入力されたビデオ信号がフルライン信号であれば、水平方向のアドレスｘa 〜ｘb と垂直方向のアドレスｙa 〜ｙb からなるメモリ空間に書き込まれたビデオ信号は、全て、有効画像のものとなる。
【００４５】
これに対して、入力されたビデオ信号がサイドパネル信号である場合には、図２Ａに示すように、画像メモリ１１に書き込まれる１画面のビデオ信号のうち、水平方向のアドレスｘc 〜ｘd と垂直方向のアドレスｙa 〜ｙb で囲まれた部分が有効画像領域で、水平方向のアドレスｘa 〜ｘc と垂直方向のアドレスｙa 〜ｙb で囲まれた部分、及び、水平方向のアドレスｘd 〜ｘb と垂直方向のアドレスｙa 〜ｙb で囲まれた部分は無画像部分となる。
【００４６】
また、入力されたビデオ信号がレターボックス信号である場合には、図２Ｂに示すように、画像メモリ１１に書き込まれる１画面のビデオ信号のうち、水平方向のアドレスｘa 〜ｘb と垂直方向のアドレスｙc 〜ｙd で囲まれた部分が有効画像領域で、水平方向のアドレスｘa 〜ｘb と垂直方向のアドレスｙa 〜ｙc で囲まれた部分、及び、水平方向のアドレスｘa 〜ｘb と垂直方向のｙd 〜ｙb で囲まれた部分は無画像部分となる。
【００４７】
そこで、複数画像表示処理や縮小画像表示処理を行う際に、例えば、入力されたビデオ信号がサイドパネル信号である場合には、図２Ａに示すように、画像メモリ１１に書き込まれる１画面のビデオ信号のうち、水平方向のアドレスｘc 〜ｘd と垂直方向のアドレスｙa 〜ｙb で囲まれる有効画像領域のビデオ信号のみが切り出されて表示される。入力されたビデオ信号がレターボックス信号である場合には、図２Ｂに示すように、水平方向のアドレスｘa 〜ｘb と垂直方向のアドレスｙc 〜ｙd とで囲まれる有効画像領域のビデオ信号のみが切り出されて表示される。
【００４８】
このように、複数画像表示処理や縮小画像表示処理を行う際に、入力されたビデオ信号がサイドパネル信号やレターボックス信号である場合には、有効画像領域のビデオ信号のみを切り出して表示することで、複数画像表示処理の際にサイドパネル信号やレターボックス信号から形成された画像が小さくなったり、縮小画像表示をしたときに無駄な部分が表示されて画面が有効利用できなくなることが防止できる。
【００４９】
入力されたビデオ信号がサイドパネル信号やレターボックス信号であるか、フルライン信号であるかは、前述したように、接続ＩＤ検出部４の出力や、付加情報検出部８の出力や、無信号検出部９の出力により検出できる。
【００５０】
つまり、インターフェース１がＳ端子やＤ端子のようなものであれば、入力インターフェース１の情報から入力ビデオ信号の画角情報やアスペクト比が得られる。また、入力ビデオ信号がＥＤＴＶ−IIＩＤ信号、ＩＤ−１信号のような付加情報が付加或いは重畳されている信号の場合には、この付加情報からアスペクト比や画角情報が検出できる。インターフェース１の情報は、接続ＩＤ検出部４により検出され、この検出出力がマイクロプロセッサ５に供給される。入力ビデオ信号に付加或いは重畳されている付加情報は、付加情報検出部８で検出され、マイクロプロセッサ５に供給される。
【００５１】
マイクロプロセッサ５は、接続ＩＤ検出部４からの情報、又は付加情報検出部８からの情報から、入力ビデオ信号の画角情報やアスペクト比情報を得て、入力ビデオ信号がサイドパネル信号やレターボックス信号であるか、フルライン信号であるかを判断している。
【００５２】
例えば、画素数の情報から（４：３）の画角であり、アスペクト比の情報から有効画像領域のアスペクト比が（１６：９）であると判断された場合には、この入力信号は、有効画像領域が（１６：９）の画像の上下に無画像部分を付加して画角を（４：３）としたレターボックス信号であると判断できる。同様に、画素数の情報から（１６：９）の画角であり、アスペクト比の情報から有効画像領域のアスペクト比が（４：３）であると判断された場合には、この入力信号は、有効画像領域が（４：３）の画面の左右に無画像部分を付加して画角を（１６：９）としたサイドパネル信号であると判断できる。
【００５３】
ところで、インターフェース１の情報からも、入力ビデオ信号の付加情報からも、入力ビデオ信号の映像フォーマットに関する情報が得られない場合がある。この場合には、無信号検出部９で、入力信号のレベルと所定のレベルとが比較され、この比較出力から有効画像領域の大きさが検出され、有効画像領域が水平方向に小さい場合にはサイドパネル信号と判断され、有効画像領域が垂直方向に小さい場合にはレターボックス信号と判断される。
【００５４】
なお、この例では、このように、インターフェース１の情報と、入力ビデオ信号に付加或いは重畳されている情報と、入力映像信号の無信号部分の検出情報との３つの情報を使って、入力ビデオ信号がサイドパネル信号やレターボックス信号であるかフルライン信号であるかが判断される。勿論、これら全てを情報を用いる必要はない。インターフェースの情報だけを用いてたり、入力ビデオ信号に付加或いは重畳されている情報だけを用いたり、入力映像信号の無信号部分の検出情報のみを用いたりしても良い。これらの情報をどのように組み合わせるかや、どの情報を優先させるかについては、使用環境やコスト、性能等を考慮して決められる。
【００５５】
このように、複数画像表示処理や縮小画像表示処理を行う際に、入力されたビデオ信号がサイドパネル信号やレターボックス信号である場合には、有効画像領域のビデオ信号のみを切り出して表示することで、以下に示すように、サイドパネル信号やレターボックス信号であっても表示が小さくならず、また、画面上の表示領域が有効に利用できるようになる。
【００５６】
図３は、複数画像表示（２画像表示）を行ったときの表示例である。この例では、選択された２系統の入力ビデオ信号のうち、一方はサイドパネル信号Ｓ１とされ、他方はフルライン信号Ｓ２とされている。
【００５７】
図３Ａに示すように、サイドパネル信号Ｓ１は、左右の無画像部分を含めて全画像が画像メモリに書き込まれる。そして、この画像メモリに書き込まれたビデオ信号の中から、有効画像領域のものが切り出され、有効画像領域で画サイズが調整されて、画像メモリから読み出されて、表示される。これに対して、図３Ｂに示すように、フルライン信号Ｓ２は、全画像が画像メモリに書き込まれ、全画像の大きさで画サイズが調整されて、画像メモリから読み出されて、背景画面上に表示される。これにより、図３Ｃに示すように、サイドパネル信号から形成された画像Ｇ１と、フルライン信号から形成された画像Ｇ２とからなる２画像表示がなされる。
【００５８】
図３Ｃに示すように、この例では、サイドパネル信号Ｓ１の場合には、有効画像領域のみ切り出すことで、サイドパネル信号Ｓ１から形成された画像Ｇ１の大きさを、フルライン信号Ｓ２から形成された画像Ｇ２の大きさとを同じにすることが可能となる。
【００５９】
図４は、入力信号がサイドパネル信号のとき縮小画像表示の表示例である。図４Ａに示すように、サイドパネル信号Ｓ１１は、左右の無画像部分を含めて全画像が画像メモリに書き込まれる。そして、この画像メモリに書き込まれたビデオ信号の中から、有効画像領域のものが切り出され、有効画像領域で画サイズが調整されて、画像メモリから読み出されて、背景画面上に表示される。図４Ｂに示すように、このサイドパネル信号から形成された画像Ｇ１１と共に、テキスト等のオンスクリーン画像Ｇ１２が表示される。
【００６０】
図４Ｂに示すように、縮小画像表示を行う際に、入力信号がサイドパネル信号の場合には、画面メモリに書き込まれたビデオ信号の中から、有効画像領域のビデオ信号が切り出されて表示される。これにより、サイドパネル信号Ｓ１１から形成された縮小画像Ｇ１１には横に広がるの無駄な部分が省かれ、テキスト等のオンスクリーン画像Ｇ１２を効率良く表示できる。
【００６１】
図５は、入力信号がレターボックス信号の縮小画像表示の表示例である。図５Ａに示すように、レターボックス信号Ｓ２１は、上下の無画像部分を含めて全画像が画像メモリに書き込まれる。そして、この画像メモリに書き込まれたビデオ信号の中から、有効画像領域のものが切り出され、有効画像領域で画サイズが調整されて、画像メモリから読み出されて、背景画面上に表示される。図５Ｂに示すように、このサイドパネル信号Ｓ２１から形成された画像Ｇ２１と共に、テキスト等のオンスクリーン画像Ｇ２２が表示される。
【００６２】
図５Ｂに示すように、縮小画像表示を行う際に、入力信号がレターボックス信号Ｓ２１の場合には、画面メモリに書き込まれたビデオ信号の中から、有効画像領域のビデオ信号が切り出されて表示される。これにより、レターボックス信号Ｓ２１から形成された縮小画像Ｇ２１には縦に広がる無駄な部分が省かれ、テキスト等のオンスクリーン画像Ｇ２２を効率良く表示できる。
【００６３】
なお、上述までの説明では、複数画像表示処理の例として、２画像表示を行っているが、勿論、更に多数の画面を表示させることもできる。
【００６４】
例えば、図６は、複数画像表示として３画像表示を行った例である。この例では、図６Ａに示すように、サイドパネル信号Ｓ３１は、左右の無画像部分を含めて全画像が画像メモリに書き込まれる。そして、この画像メモリに書き込まれたビデオ信号の中から、有効画像領域のものが切り出され、有効画像領域で画サイズが調整されて、画像メモリから読み出される。
【００６５】
レターボックス信号Ｓ３２は、上下の無画像部分を含めて全画像が画像メモリに書き込まれる。そして、この画像メモリに書き込まれたビデオ信号の中から、有効画像領域のものが切り出され、有効画像領域で画サイズが調整されて、画像メモリから読み出されて、表示される。
【００６６】
レターボックス信号Ｓ３３は、上下の無画像部分を含めて全画像が画像メモリに書き込まれる。そして、この画像メモリに書き込まれたビデオ信号の中から、有効画像領域のものが切り出され、有効画像領域で画サイズが調整されて、画像メモリから読み出されて、表示される。
【００６７】
これにより、図６Ｄに示すように、サイドパネル信号Ｓ３１から形成された画像Ｇ３１と、レターボックス信号Ｓ３２から形成された画像Ｇ３２と、レターボックス信号Ｓ３３から形成された画像Ｇ３３とからなる３画像が背景画面上に並んで表示される。
【００６８】
なお、上述までの説明では、画像メモリ１１には全体画像のビデオ信号を書き込んでおき、複数画像表示処理や縮小画像表示処理を行う際に、入力ビデオ信号がサイドパネル信号やレターボックス信号のなら、有効画像領域のものだけを読み出して、有効画像領域の切り出しを行っているが、入力ビデオ信号がサイドパネル信号やレターボックス信号のなら、有効画像領域のものだけを画像メモリに書き込み、画像メモリから入力ビデオ信号を読み出して、有効画像領域の切り出しを行うようにしても良い。
【００６９】
図７は、この発明の他の実施の形態を示すものである。この例は、上述の入力信号選択部２で選択される２系統のビデオ信号に加えて、ＭＰＥＧ（Moving Picture Coding Experts Group ）２方式に基づくディジタル衛星放送の受信画像を表示できるようにしたものである。なお、図７において、図１と同一の構成部分については、同一符号を付して、その説明を省略する。
【００７０】
図７において、入力端子２０には、ディジタル衛星放送の中間周波信号が供給される。例えば、ディジタルＢＳ（Broadcast Satellite ）放送であれば、１２ＧＨｚ帯で送られてきた衛星からの電波がパラボラアンテナ（図示せず）で受信され、パラボラアンテナに取り付けられたＬＮＢ（Low Noise Block Down Converter）でＢＳ放送の中間周波信号ＢＳ−ＩＦに変換されて、入力端子２０に供給される。ディジタルＣＳ（Communication Satellite ）放送であれば、ＣＳ放送の中間周波信号ＣＳ−ＩＦに変換されて、入力端子２０に供給される。
【００７１】
入力端子２０からの信号は、フロントエンド２１に供給される。フロントエンド２１で、受信信号が復調され、ＭＰＥＧ２のトランスポートストリームが出力される。フロントエンド２１により復調されたトランスポートストリームは、デマルチプレクサ２２に供給される。デマルチプレクサ２２で、ＰＩＤを基に、パケットが分離される。このデマルチプレクサ２２の出力がＭＰＥＧ２ビデオデコーダ２４に供給される。
【００７２】
ＭＰＥＧ２ビデオデコーダ２４で、ＭＰＥＧ２方式のビデオ信号の伸長処理がなれ、ビデオ信号がデコードされる。ＭＰＥＧ２ビデオデコーダ２４でデコードされたビデオ信号は、画像処理部７に供給される。
【００７３】
また、この例では、外部からの別のメディアで送られてきたＭＰＥＧ２のトランスポートストリームをデコードできるようにするために、入力端子２３が設けられている。また、外部からの別のメディアで送られてきたＭＰＥＧ２のビデオ信号をデコードできるようにするために、入力端子２５が設けられている。
【００７４】
このように、この例では、ＭＰＥＧ２のトランスポートストリームがデコードされる。このデコードされたビデオ信号は、画像処理部７に送られる。
【００７５】
画像処理部７で、入力信号選択部２で選択されたビデオ信号と共に、ＭＰＥＧ２ビデオデコーダ２４でデコードされたビデオ信号に対して、複数画像表示処理や縮小画像表示処理が行われる。
【００７６】
前述したように、複数画像表示処理や縮小画像表示処理をする際には、入力ビデオ信号がサイドパネル信号やレターボックス信号の場合には、有効画像領域のみを切り出して表示する処理が行われる。
【００７７】
前述までの例では、入力ビデオ信号がサイドパネル信号やレターボックス信号であるか、フルライン信号であるかの判断を、インターフェース１の情報と、入力ビデオ信号に付加或いは重畳されている情報と、入力ビデオ信号の無信号部分の検出情報とを使って判断しているが、入力ビデオ信号がＭＰＥＧ２のデコード信号の場合には、ＭＰＥＧ２のトランスポートストリームで送られてくる情報を利用して、入力ビデオ信号がサイドパネル信号やレターボックス信号であるか否かを判断できる。
【００７８】
つまり、ＭＰＥＧ２システムで伝送されたる画像のアスペクト比や画角は、Sequence＿HeaderやSequence＿Display ＿Extension で特定することができる。
【００７９】
例えば、ＢＳディジタル放送システムでは、Sequence＿Header内のHolizontal＿Size＿Value （ＨＳＶ）で画像全体の水平方向サイスが指定され、Vertical＿Size＿Value （ＶＳＶ）で画像全体の垂直方向のサイズが指定され、Aspect＿Ratio ＿Infomation（ＡＲＩ）で有効画像領域の画像アスペクト比が指定されている。
【００８０】
また、Sequence＿Display ＿Extension 内のDisplay ＿Holizontal＿Size（ＤＨＳ）で有効画像量の水平方向のサイズが特定され、Display ＿Vertical＿Size（ＤＶＳ）で有効画像領域の垂直方向のサイズが特定される。
【００８１】
したがって、フルライン信号であれば、Holizontal＿Size＿Value （ＨＳＶ）と、Display ＿Holizontal＿Size（ＤＨＳ）とが一致し、Vertical＿Size＿Value （ＶＳＶ）とDisplay ＿Vertical＿Size（ＤＶＳ）とが一致する。
【００８２】
レターボックス信号なら、Holizontal＿Size＿Value （ＨＳＶ）と、Display＿Holizontal＿Size（ＤＨＳ）とが一致し、Vertical＿Size＿Value （ＶＳＶ）に対してDisplay ＿Vertical＿Size（ＤＶＳ）が小さくなる。
【００８３】
サイドパネル信号なら、Holizontal＿Size＿Value （ＨＳＶ）に対してDisplay ＿Holizontal＿Size（ＤＨＳ）が小さくなり、Vertical＿Size＿Value （ＶＳＶ）とDisplay ＿Vertical＿Size（ＤＶＳ）とが一致する。
【００８４】
このように、Holizontal＿Size＿Value （ＨＳＶ）の値とDisplay ＿Holizontal＿Size（ＤＨＳ）の値とを比較し、Vertical＿Size＿Value （ＶＳＶ）の値とDisplay ＿Vertical＿Size（ＤＶＳ）の値とを比較すれば、その比較出力から、フルライン信号であるか、サイドパネル信号であるか、レターボックス信号であるかが判断できる。更に、Holizontal＿Size（ＤＨＳ）と、Display ＿Vertical＿Size（ＤＶＳ）とにより、有効画像領域の大きさが判断できる。
【００８５】
したがって、ＭＰＥＧ２のビデオの場合には、Holizontal＿Size＿Value （ＨＳＶ）と、Display ＿Holizontal＿Size（ＤＨＳ）とを比較し、Vertical＿Size＿Value （ＶＳＶ）とDisplay ＿Vertical＿Size（ＤＶＳ）とを比較し、小さい方のパラメータに基づいて画面を切り出すような処理を行えば良いことになる。
【００８６】
このように、入力信号選択部２で選択されたビデオ信号と共に、ＭＰＥＧ２デコーダ２４でデコードされたビデオ信号が画像処理部７に供給された場合の表示例を以下に示す。
【００８７】
図８は、選択された２系統の入力ビデオ信号がレターボックス信号であり、ＭＰＥＧ２でデコードされたビデオ信号がサイドパネル信号である場合の複数画像表示の表示例である。
【００８８】
図８Ｂ及び図８Ｃに示すように、選択された２系統のレターボックス信号Ｓ４２及びＳ４３は、上下の無画像部分を含めて全画像が画像メモリに書き込まれる。そして、この画像メモリに書き込まれたビデオ信号の中から、有効画像領域のものが切り出され、有効画像領域で画サイズが調整されて、画像メモリから読み出されて、背景画面上に表示される。
【００８９】
図８Ａに示すように、ＭＰＥＧ２でデコードされたサイドパネル信号Ｓ４１は、上下の無画像部分を含めて全画像が画像メモリに書き込まれる。そして、Holizontal＿Size＿Value （ＨＳＶ）と、Display ＿Holizontal＿Size（ＤＨＳ）とを比較し、Vertical＿Size＿Value （ＶＳＶ）とDisplay ＿Vertical＿Size（ＤＶＳ）とを比較し、小さい方のパラメータに基づいて、画像メモリに書き込まれたビデオ信号が切り出されて、背景画面上に表示される。
【００９０】
これにより、図８Ｄに示すように、ＭＰＥＧ２でデコードされたサイドパネル信号Ｓ４１から形成された画像Ｇ４１と、選択された２系統のレターボックス信号Ｓ４２、Ｓ４３から形成された画像Ｇ４２、Ｇ４３とからなる３画像が表示される。
【００９１】
図９は、選択された２系統の入力ビデオ信号のうちの１つがサイドパネル信号であり、他の１つがレターボックス信号であり、ＭＰＥＧ２デコーダでデコードされたビデオ信号はサイドパネル信号である場合の複数画面表示の表示例である。
【００９２】
図９Ａに示すように、選択された２系統のうちの１つのサイドパネル信号Ｓ５１は、左右の無画像部分を含めて全画像が画像メモリに書き込まれる。そして、この画像メモリに書き込まれたビデオ信号の中から、有効画像領域のものが切り出され、有効画像領域で画サイズが調整されて、画像メモリから読み出されて、背景画面上に表示される。
【００９３】
図９Ｃに示すように、選択された２系統のうちの他方のレターボックス信号Ｓ５３は、上下の無画像部分を含めて全画像が画像メモリに書き込まれる。そして、この画像メモリに書き込まれたビデオ信号の中から、有効画像領域のものが切り出され、有効画像領域で画サイズが調整されて、画像メモリから読み出されて、背景画面上に表示される。
【００９４】
図９Ｂに示すように、ＭＰＥＧ２でデコードされたレターボックス信号Ｓ５２は、上下の無画像部分を含めて全画像が画像メモリに書き込まれる。そして、Holizontal＿Size＿Value （ＨＳＶ）と、Display ＿Holizontal＿Size（ＤＨＳ）とを比較し、Vertical＿Size＿Value （ＶＳＶ）とDisplay ＿Vertical＿Size（ＤＶＳ）とを比較し、小さい方のパラメータに基づいて、画像メモリに書き込まれたビデオ信号が切り出される。
【００９５】
これにより、図９Ｄに示すように、選択された２系統の信号のうちの１系統のサイドパネル信号Ｓ５１から形成された画像Ｇ５１と、ＭＰＥＧ２でデコードされたレターボックス信号Ｓ５２から形成された画像Ｇ５２と、入力信号選択部２で選択された２系統の信号のうちの他の１系統のレターボックス信号Ｓ５３から形成された画像Ｇ５３とからなる３画像が表示される
【００９６】
図１０は、デコードされたビデオ信号がサイドパネル信号であり、これを縮小画像表示したときの表示例である。図１０Ａに示すように、ＭＰＥＧ２でデコードされたサイドパネル信号Ｓ６１は、左右の無画像部分を含めて全画像が画像メモリに書き込まれる。そして、Holizontal＿Size＿Value （ＨＳＶ）と、Display ＿Holizontal＿Size（ＤＨＳ）とを比較し、Vertical＿Size＿Value （ＶＳＶ）とDisplay ＿Vertical＿Size（ＤＶＳ）とを比較し、小さい方のパラメータに基づいて、画像メモリに書き込まれたビデオ信号が切り出される。図１０Ｂに示すように、このレターボックス信号Ｓ６１から形成された画像Ｇ６１と共に、テキスト等のオンスクリーン画像Ｇ６２が表示される。
【００９７】
図１１は、ＭＰＥＧ２デコーダ２４でデコードされたビデオ信号はレターボックス信号であり、これを縮小画像表示した場合の表示例である。図１１Ａに示すように、ＭＰＥＧ２デコーダ２４でデコードされたレターボックス信号Ｓ７１は、上下の無画像部分を含めて全画像が画像メモリに書き込まれる。そして、Holizontal＿Size＿Value （ＨＳＶ）と、Display ＿Holizontal＿Size（ＤＨＳ）とを比較し、Vertical＿Size＿Value （ＶＳＶ）とDisplay ＿Vertical＿Size（ＤＶＳ）とを比較し、小さい方のパラメータに基づいて、画像メモリに書き込まれたビデオ信号が切り出される。図１１Ｂに示すように、このレターボックス信号から形成された画像Ｇ７１と共に、テキスト等のオンスクリーン画像Ｇ７２が表示される。
【００９８】
以上のように、この発明では、入力されるビデオ信号がサイドパネル信号やレターボックス信号の場合には、複数画像表示や縮小画像表示をする際に、有効画像領域の信号が切り出される。このため、複数画像表示処理する際に、サイドパネル信号やレターボックス信号が入力されていても、画像が小さくなることはなくなる。また、縮小画像表示処理を行う際に、無駄な部分が表示されなくなり、表示画面が有効に利用できる。
【００９９】
なお、上述の例では、画像処理部７で、複数画像表示処理と縮小画像表示処理とを行っているが、画像処理部７では、更に、種々の処理を行うことが考えられる。例えば、入力信号選択部２で選択されたビデオ信号の一方から形成された画像を親画像とし、他方のビデオ信号から形成された画像を縮小し、これを子画像とし、親画像に子画像をはめ込んで表示するようなＰｉｎＰの処理を行うことができる。このようなＰｉｎＰの処理の場合でも、子画像については、有効画像領域のみを切り出すと、背景画像が有効に利用できる。
【０１００】
また、入力ビデオ信号がサイドパネル信号やレターボックス信号の場合には、これを画面上の全体に画像を表示させるために、水平方向や垂直方向の補間処理が必要になる。画像処理部７は、このように、入力ビデオ信号がサイドパネル信号やレターボックス信号の場合に、これを画面上の全体に表示させるための処理を行っている。例えば、入力ビデオ信号がＥＤＴＶの場合には、レターボックス信号となるので、画面全体に画像を表示させるために、ライン数変換の処理が行われる。
【０１０１】
【発明の効果】
この発明によれば、入力ビデオ信号がサイドパネル信号やレターボックス信号のやように無画像部分を含むビデオ信号かどうかが判断される。そして、複数画像表示や縮小画像表示を行う際に、入力ビデオ信号がレターボックス信号やサイドパネル信号なら、画像メモリから有効画像領域ビデオ信号のみが切り出されて、表示される。これにより、複数画像表示処理を行う際に、入力ビデオ信号がサイドパネル信号やレターボックス信号であっても、表示画像が小さくなることがなくなる。また、縮小画像表示を行ったときに、表示領域を有効に利用できる。
【図面の簡単な説明】
【図１】この発明の一実施の形態のブロック図である。
【図２】この発明の一実施の形態の説明に用いる略線図である。
【図３】この発明の一実施の形態における表示例を示す略線図である。
【図４】この発明の一実施の形態における表示例を示す略線図である。
【図５】この発明の一実施の形態における表示例を示す略線図である。
【図６】この発明の一実施の形態における表示例を示す略線図である。
【図７】この発明の他の実施の形態のブロック図である。
【図８】この発明の他の実施の形態における表示例を示す略線図である。
【図９】この発明の他の実施の形態における表示例を示す略線図である。
【図１０】この発明の他の実施の形態における表示例を示す略線図である。
【図１１】この発明の他の実施の形態における表示例を示す略線図である。
【図１２】従来の画像表示装置の一例のブロック図である。
【図１３】従来の画像表示装置の一例における表示例を示す略線図である。
【図１４】従来の画像表示装置の一例における表示例を示す略線図である。
【図１５】従来の画像表示装置の一例における表示例を示す略線図である。
【符号の説明】
４・・・接続ＩＤ検出部，７・・・画像処理部，８・・・付加情報検出部，９・・・無信号検出部
【図１】
0004613403.tif 000002
【図２】
0004613403.tif 000003
【図３】
0004613403.tif 000004
【図４】
0004613403.tif 000005
【図５】
0004613403.tif 000006
【図６】
0004613403.tif 000007
【図７】
0004613403.tif 000008
【図８】
0004613403.tif 000009
【図９】
0004613403.tif 000010
【図１０】
0004613403.tif 000011
【図１１】
0004613403.tif 000012
【図１２】
0004613403.tif 000013
【図１３】
0004613403.tif 000014
【図１４】
0004613403.tif 000015
【図１５】
0004613403.tif 000016